(57)【要約】【課題】  外管と内管との間に水硬性硬化体層が形成された積層管を製造するに際し、外管と内管との間に充填された水硬性材料が漏れ出すのを防止することで、仕上がりの見栄えを向上させると共に、無駄な材料の発生を抑え、材料コストの削減を図ることを目的とする。【解決手段】  軸方向に両端部が開口した外管の内部に少なくとも一端部が位置するように外管に沿って内管を配置し、前記外管と内管との間の空間を閉塞するべく該内管の一端部を外管の開口方向から覆うとともに外管の内壁に連結するよう閉塞部材を配置し、前記外管と内管との間に水硬性材料を充填して水硬性硬化体層を形成することによって積層管を製造するに際し、前記内管の一端部と閉塞部材との間に形成され内管の径方向内方に向かって開口した隙間部から水硬性材料が漏れ出すのを防止する漏出防止具であって、  前記隙間部を封止するように隙間部に沿って配置される封止手段と、該封止手段を内管の径方向内方から外方に向かって付勢する付勢手段とを備えることを特徴とする。【選択図】      図１
2010115868.tif 000002
【特許請求の範囲】
【請求項１】
軸方向に両端部が開口した外管の内部に少なくとも一端部が位置するように外管に沿って内管を配置し、前記外管と内管との間の空間を閉塞するべく該内管の一端部を外管の開口方向から覆うとともに外管の内壁に連結するよう閉塞部材を配置し、前記外管と内管との間に水硬性材料を充填して水硬性硬化体層を形成することによって積層管を製造するに際し、前記内管の一端部と閉塞部材との間に形成され内管の径方向内方に向かって開口した隙間部から水硬性材料が漏れ出すのを防止する漏出防止具であって、
前記隙間部を封止するように隙間部に沿って配置される封止手段と、該封止手段を内管の径方向内方から外方に向かって付勢する付勢手段とを備えることを特徴とする漏出防止具。
【請求項２】
前記封止手段は、弾性部材を用いて形成されることを特徴とする請求項１に記載の漏出防止具。
【請求項３】
前記付勢手段は、剛性部材を用いて環状に形成されると共にその一部が切り欠かれて形成された切欠き部を備えることを特徴とする請求項１又は２に記載の漏出防止具。
【請求項４】
前記付勢手段は、前記封止手段を取り付けるための溝部をその外周に沿って備えることを特徴とする請求項１乃至３に記載の漏出防止具。
【請求項５】
前記封止手段は、付勢手段に取り付けられた際に、環状となるように形成されると共にその一部に前記付勢手段の切欠き部と略等しい間隔の切り欠き部を備え、該封止手段の切欠き部と付勢手段の切欠き部とが付勢手段の中心から見て周方向の異なる位置に形成されることを特徴とする請求項３又は４に記載の漏出防止具。
【請求項６】
軸方向に両端部が開口した外管の内部に少なくとも一端部が位置するように外管に沿って内管を配置し、前記外管と内管との間の空間を閉塞するべく該内管の一端部を外管の開口方向から覆うとともに外管の内壁に連結するよう閉塞部材を配置し、前記外管と内管との間に水硬性材料を充填して水硬性硬化体層を形成することによって積層管を製造する積層管の製造方法であって、
前記内管の一端部と閉塞部材との間に形成されて内管の径方向内方に向かって開口した隙間部を封止するように内管の端部に沿って封止部材を配置し、該封止部材を内管の径方向内方から外方に向かって付勢手段を用いて付勢することを特徴とする積層管の製造方法。
【発明の詳細な説明】
【技術分野】
【０００１】
本発明は、外管と該外管の内部に配置された内管との間に水硬性硬化体層が形成された積層管の製造に用いる工具とその工具を用いた積層管の製造方法に関する。
【背景技術】
【０００２】
従来から、軸方向に両端部が開口した外管と該外管の内側に配置された内管との間に水硬性硬化体層が形成された積層管が知られている。該積層管の製造方法としては、内管の両端部のうち少なくとも一端部が外管の内部に位置するように外管に沿って内管を配置し、前記外管と内管との間の空間を閉塞するべく該内管の一端部を外管の開口方向から覆うとともに外管の内壁に連結するよう閉塞部材を配置し、そして、外管と内管との間に水硬性材料を充填して水硬性硬化体層を形成するという手順が採用されている。
【０００３】
前記積層管を構成する素材としては、様々な素材を組み合わせて用いることができる。例えば、外管及び閉塞部材としては、金属製の素材等を用いることができ、また、内管としては、樹脂製の素材等を用いることができる。また、水硬性材料としては、モルタル、コンクリート等を用いることができる。
【０００４】
しかしながら、前記積層管を製造する際には、前記内管の一端部と閉塞部材との間に、内管の径方向内方に向かって開口した隙間部が形成される場合がある。具体的には、内管と閉塞部材とが異素材で形成されている場合、例えば、内管が樹脂製素材で形成され、閉塞部材が金属製素材で形成されている場合には、前記内管の一端部と閉塞部材とを溶接等で密封することができないため、内管の径方向内方に向かって開口した隙間が生じてしまう。このため、外管と内管との間に充填された水硬性材料が隙間部から漏れ出てしまうことがある。このため、漏れ出た水硬性材料が内管の内壁等で硬化し、見栄えが悪くなるのに加え、無駄な材料が発生してしまうため、材料コストの増大の原因となっている。
【発明の開示】
【発明が解決しようとする課題】
【０００５】
そこで、本発明は、このような従来技術の問題点に鑑みてなされたものであり、外管と内管との間に水硬性硬化体層が形成された積層管を製造するに際し、外管と内管との間に充填された水硬性材料が漏れ出すのを防止することで、仕上がりの見栄えを向上させると共に、無駄な材料の発生を抑え、材料コストの削減を図ることを目的とする。
【課題を解決するための手段】
【０００６】
本発明にかかる漏出防止具は、上記課題を解決すべく構成されたもので、軸方向に両端部が開口した外管の内部に少なくとも一端部が位置するように外管に沿って内管を配置し、前記外管と内管との間の空間を閉塞するべく該内管の一端部を外管の開口方向から覆うとともに外管の内壁に連結するよう閉塞部材を配置し、前記外管と内管との間に水硬性材料を充填して水硬性硬化体層を形成することによって積層管を製造するに際し、前記内管の一端部と閉塞部材との間に形成され内管の径方向内方に向かって開口した隙間部から水硬性材料が漏れ出すのを防止する漏出防止具であって、前記隙間部を封止するように隙間部に沿って配置される封止手段と、該封止手段を内管の径方向内方から外方に向かって付勢する付勢手段とを備えることを特徴とする。
【０００７】
かかる構成の漏出防止具によれば、内管の一端と閉塞部材との間に形成されて内管の径方向内方に向かって開口した隙間部を封止するように構成された封止手段と、該封止手段を内管の径方向内方から外方に向かって付勢する付勢手段とを備えることで、外管と内管との間に充填された水硬性材料が隙間部を通じて漏れ出すことを防止することができる。
【０００８】
具体的には、隙間部が内管の径方向内方に向かって開口するように形成されているため、外管と内管との間に充填された水硬性材料は、隙間部から内管の径方向内方に向かって漏れ出すこととなるが、封止部材が隙間部に沿って配置され、且つ、付勢手段が封止手段を内管の径方向内方から外方に向かって付勢するため、隙間部を効果的に封止することができ、水硬性材料が漏れ出すのを効果的に防止することができる。
【０００９】
また、本発明にかかる漏出防止具は、前記封止手段が弾性部材を用いて形成されることが好ましい。
【００１０】
かかる構成の漏出防止具によれば、封止手段が弾性部材を用いて構成されることで、隙間部を封止する際により効果的に隙間部を封止することができる。具体的には、封止手段が弾性部材を用いて構成されているため、付勢手段によって付勢された際に、封止手段が隙間部の開口部に沿って弾性変形し、隙間部の開口部に封止手段を密着させることができる。このため、隙間部から水硬性材料が漏れ出すのをより効果的に防止することができる。
【００１１】
また、本発明にかかる漏出防止具は、前記付勢手段が剛性部材を用いて環状に形成されると共に、その一部が切り欠かれて形成された切欠き部を備えることが好ましい。
【００１２】
かかる構成の漏出防止具によれば、付勢手段が剛性部材を用いて環状に形成され、その一部に切欠き部を備えることで、切欠き部の間隔が狭くなるように、即ち、切欠き部を形成する付勢手段の両端部が当接するように付勢手段に力を加えると、付勢手段には、その両端部が離間する方向に応力が生じる。言い換えれば、付勢手段には、その中心から外側に向かって広がるように応力が生じることになる。このため、隙間部を封止するように配置される封止手段を内管の径方向内方から外方に向かって付勢することができる。
【００１３】
また、本発明にかかる漏出防止具は、前記付勢手段が封止手段を取り付けるための溝部をその外周に沿って備えることが好ましい。
【００１４】
かかる構成の漏出防止具によれば、付勢手段が封止手段を取り付けるための溝部をその外周に沿って備えることで、封止手段を付勢手段に安定して取り付けることができ、付勢手段が封止手段を付勢した際に確実に付勢することができる。
【００１５】
また、本発明にかかる漏出防止具は、前記封止手段が付勢手段に取り付けられた際に、環状となるように形成されると共にその一部に前記付勢手段の切欠き部と略等しい間隔の切り欠き部を備え、該封止手段の切欠き部と付勢手段の切欠き部とが付勢手段の中心から見て周方向の異なる位置に形成されることが好ましい。
【００１６】
かかる構成の漏出防止具によれば、封止手段が付勢手段に取り付けられた際に、環状となるように形成されると共にその一部に前記付勢手段の切欠き部と略等しい間隔の切り欠き部を備えることで、付勢手段の切欠き部の間隔を狭くするように力を加えて付勢手段の両端部を当接させた際に、封止手段の切欠き部を形成する封止手段の両端部も当接することとなり、隙間部を隙間なく封止することができる。また、封止手段の切欠き部と付勢手段の切欠き部とが付勢手段の中心から見て周方向の異なる位置に形成されることで、封止手段の両端部が当接した当接部分と、付勢手段の両端部が当接した当接部分とが付勢手段の中心から見て周方向の異なる位置に形成されるため、それぞれの当接部分から水硬性材料が漏れ出すのを防止することができる。
【００１７】
また、本発明にかかる積層管の製造方法は、軸方向に両端部が開口した外管の内部に少なくとも一端部が位置するように外管に沿って内管を配置し、前記外管と内管との間の空間を閉塞するべく該内管の一端部を外管の開口方向から覆うとともに外管の内壁に連結するよう閉塞部材を配置し、前記外管と内管との間に水硬性材料を充填して水硬性硬化体層を形成することによって積層管を製造する積層管の製造方法であって、前記内管の一端部と閉塞部材との間に形成されて内管の径方向内方に向かって開口した隙間部を封止するように内管の端部に沿って封止部材を配置し、該封止部材を内管の径方向内方から外方に向かって付勢手段を用いて付勢することを特徴とする。
【発明の効果】
【００１８】
以上のように、本発明にかかる漏出防止具によれば、外管と内管との間に水硬性硬化体層が形成された積層管を製造するに際し、外管と内管との間に充填された水硬性材料が漏れ出すのを防止することで、仕上がりの見栄えを向上させると共に、無駄な材料の発生を抑え、材料コストの削減を図ることができる。
【発明を実施するための最良の形態】
【００１９】
以下、本発明にかかる実施形態について図１〜３を参照しながら説明する。
【００２０】
本実施形態にかかる漏出防止具１は、複数の層から構成された積層管Ａの製造に用いるものである。漏出防止具１についての説明に先立って、積層管Ａについて説明する。積層管Ａは、図１に示すように、軸方向に両端部が開口した外管Ａ１と該外管Ａ１の内側に配置された内管Ａ２と、前記外管Ａ１と内管Ａ２との間の空間（以下、内外管空間Ａ１２と記す）を閉塞すべく外管Ａ１の内壁に連結された閉塞部材Ａ３と、外管と内管との間に形成された水硬性硬化体層Ａ４とから構成されている。
【００２１】
前記外管Ａ１は、軸方向に両端部が開口した円筒形状に形成され、その内側に前記内管Ａ２を配置可能に構成されている。また、外管Ａ１は、その内側に内管Ａ２が配置された際に、内管Ａ２の軸が外管Ａ１の軸と一致するように構成されている。具体的には、外管Ａ１の内壁には、内管Ａ２の外周面を支える支持部（図示せず）が備えられている。該支持部は、外管Ａ１の内側に配置された内管Ａ２の軸が外管Ａ１の軸と一致するように内管Ａ２を支えるように構成されている。また、外管Ａ１は、鋼材等の金属製材料を用いて形成されている。
【００２２】
前記内管Ａ２は、軸方向に両端部が開口した円筒形状に形成され、外管Ａ１の内側に配置可能に構成されている。具体的には、内管Ａ２は、その外周径が外管Ａ１の内周径よりも小さく形成されている。また、内管Ａ２は、その開口する両端間の長さが外管Ａ１の開口する両端間の長さよりも短くなるように形成され、その両端部が外管Ａ１の内部に位置するように構成されている。また、内管Ａ２は、その軸が外管Ａ１の軸と一致するように外管Ａ１の内部に配置されている。具体的には、外管Ａ１の内壁に備えられた前記支持手段によって内管Ａ２が支えられ、外管Ａ１と内管Ａ２との軸が一致するように構成されている。また、内管Ａ２は、ポリ塩化ビニルやＦＲＰ等の樹脂製素材を用いて形成されている。
【００２３】
前記閉塞部材Ａ３は、外管Ａ１と内管Ａ２との間の空間を閉塞するように配置されている。本実施形態においては、一対の閉塞部材Ａ３が外管Ａ１と内管Ａ２との間の空間を外管Ａ１の開口方向から閉塞するように配置されている。また、閉塞部材Ａ３は、内管Ａ２の少なくとも一端部を外管Ａ１の開口方向から覆うように形成されている。本実施形態においては、一対の閉塞部材Ａ３が内管Ａ２の両端部をそれぞれ外管Ａ１の両端部側から覆うように配置されている。
【００２４】
また、閉塞部材Ａ３は、外管Ａ１の内壁に連結されている。具体的には、閉塞部材Ａ３は、外管Ａ１の内壁に略垂直に連結され、外管Ａ１の軸に略直行するように構成されている。また、閉塞部材Ａ３は、円盤状に形成され、中心部が内管Ａ２の内部と連通するように円形状に開口するように構成されている。具体的には、閉塞部材Ａ３は、その外径が外管Ａ１の内周径に略等しくなるように形成され、且つ、閉塞部材Ａ３の中心部の開口の内径が内管Ａ２の内径と略等しくなるように形成されている。
【００２５】
また、閉塞部材Ａ３は、外管Ａ１の内壁に隙間なく連結されている。本実施形態においては、閉塞部材Ａ３は、金属製素材を用いて形成され、前記外管Ａ１の内壁に隙間なく溶接されて連結されている。なお、閉塞部材Ａ３には内外管空間Ａ１２内に水硬性材料を供給するための供給口（図示せず）が形成されている。また、閉塞部材Ａ３は、外管Ａ１と内管Ａ２との間に水硬性材料が供給された際に、外管Ａ１と内管Ａ２との間の空気を外部へ放出させる空気口（図示せず）を備えている。該空気口が形成される位置としては、特に限定されるものではないが、外管Ａ１及び内管Ａ２を地面に寝かした状態で水硬性材料を供給する場合には、前記空気口は、閉塞部材Ａ３の中心に対して供給口と対称位置に形成されることが好ましい。
【００２６】
前記水硬性硬化体層Ａ４は、外管Ａ１と内管Ａ２との間に水硬性材料が充填されて硬化したものでる。具体的には、内外管空間Ａ１２を閉塞した閉塞部材Ａ３の供給口から水硬性材料を供給し、内外管空間Ａ１２に水硬性材料が充填されて形成されたものである。水硬性材料としては、水と混練されたセメント、モルタル、コンクリート、石膏等を用いることができる。
【００２７】
次に、本実施形態にかかる漏出防止具１の特徴的な部分について説明する。漏出防止具１は、図２及び図３に示すように、上記積層管Ａを製造する際に、前記内管Ａ２の一端部と閉塞部材Ａ３との間に形成された隙間部Ｂから水硬性材料が漏れ出すのを防止するように構成されている。該隙間部Ｂは、内外管空間Ａ１２に連通するように形成され、内管Ａ２の径方向内方に向かって開口するように形成されている。また、本実施形態においては、隙間部Ｂは、内管Ａ２の両端部と一対の閉塞部材Ａ３との間に一対形成されている。また、隙間部Ｂは、内管Ａ２の一端縁（内管Ａ２の開口端縁）に沿って円形状に形成されている。
【００２８】
前記漏出防止具１は、隙間部Ｂを封止するように隙間部Ｂに沿って配置される封止手段１１と、該封止手段１１を内管Ａ２の径方向内方から外方に向かって付勢する付勢手段１２とを備えている。
【００２９】
前記封止手段１１は、弾性部材を用いて構成されている。具体的には、封止手段１１は、内部が中空に形成された一本の中空ゴムを用いて構成されている。また、封止手段１１は、その断面形状が円形となるように形成され、その外径が隙間部Ｂの開口幅よりも大きくなるように構成されている。
【００３０】
前記付勢手段１２は、環状に形成されると共にその一部が切り欠かれて形成された切欠き部１２Ｒを備えている。即ち、付勢手段１２は、一部に切欠き部１２Ｒが形成された略Ｃ字状に形成されている。また、前記付勢手段１２は、封止手段１１を取り付けるための溝部１２ａをその外周に沿って備えている。このため、環状に形成された付勢手段１２の外周に封止手段１１を取り付けた際には、封止手段１１は、付勢手段１２の外周に沿って環状をなすこととなる。この状態において、封止手段１１には、前記切欠き部１２Ｒと略等しい間隔の切り欠き部１１Ｒが形成されている。また、封止手段１１と付勢手段１２（より詳しくは、溝部１２ａ）とは、封止手段１１の両端部近傍以外の部分で接着剤等を用いて固定されている。
【００３１】
また、付勢手段１２は、剛性部材を用いて形成され、切欠き部１２Ｒを形成する両端部を当接させるように力を加えることで、その両端部が離間する方向に応力が生じるように構成されている。このため、付勢手段１２は、その外周に取り付けられた封止手段１１を付勢手段１２の径方向外方に向かって付勢するように構成されている。具体的には、付勢手段１２は、金属製の板部材を用いて形成され、その両端部を当接させるように力を加えた際に、金属製素材の弾性力によってその両端部が離間する方向に応力が生じるように構成されている。金属製素材としては、鉄やアルミニウム等の弾性を有する金属を用いることができる。また、付勢手段１２は、その両端部が当接した状態で、内管Ａ２の内周径よりも僅かに小さい径となるように形成されている。また、付勢手段１２の両端部を当接させることにより、付勢手段１２の外周に取り付けられた封止手段１１の両端部も当接するように構成されている。
【００３２】
また、付勢手段１２に封止手段１１が取り付けられた状態で、封止手段１１の切欠き部１１Ｒと付勢手段１２の切欠き部１２Ｒとは、重なり合わないように形成されている。具体的には、切欠き部１１Ｒと切欠き部１２Ｒとは、環状の付勢手段１２の中心から見て重なり合わないように周方向の異なる位置に形成されている。
【００３３】
次に、漏出防止具１を用いて積層管Ａを製造する手順について説明する。まず初めに、外管Ａ１の内側に内管Ａ２を配置する。次に、内外管空間Ａ１２を外管Ａ１の両端部側から閉塞するように閉塞部材Ａ３を配置して外管Ａ１の内壁に連結する。この状態において、外管Ａ１の内部に位置する内管Ａ２の両端部は、外管Ａ１の両端部側から閉塞部材Ａ３によって覆われており、内管Ａ２の両端部と一対の閉塞部材Ａ３との間に隙間部Ｂが形成されている。
【００３４】
一方、漏出防止具１の方では、付勢手段１２の両端部が互いに接近するように力を加え、両端部を当接した状態とする。この状態において、付勢手段１２の外周に取り付けられた封止手段１１の両端部も当接した状態となっており、付勢手段１２の外周径は、内管Ａ２の内周径よりも僅かに小さくなっている。
【００３５】
そして、閉塞部材Ａ３の開口から漏出防止具１を隙間部Ｂに沿って配置し、付勢手段１２に加えていた力（封止手段１１の両端部を当接させていた力）を解放する。これにより、付勢手段１２に生じていた応力によって、封止手段１１が内管Ａ２の径方向内方から外方に向かって付勢され、封止手段１１が弾性変形して隙間部Ｂに一部が食い込み、隙間部Ｂが完全に封止される。そして、閉塞部材Ａ３に備えられた供給口から内外管空間Ａ１２に水硬性材料を供給して充填し、所定時間放置することで、水硬性硬化体層Ａ４が形成される。
【００３６】
以上のように、本実施形態にかかる漏出防止具１によれば、外管Ａ１と内管Ａ２との間に水硬性硬化体層Ａ４が形成された積層管Ａを製造するに際し、外管Ａ１と内管Ａ２との間に充填された水硬性材料が漏れ出すのを防止することで、仕上がりの見栄えを向上させると共に、無駄な材料の発生を抑え、材料コストの削減を図ることができる。
【００３７】
即ち、前記漏出防止具１は、隙間部Ｂを封止するように構成された封止手段１１と、該封止手段１１を内管Ａ２の径方向内方から外方に向かって付勢する付勢手段１２とを備えていることで、外管Ａ１と内管Ａ２との間に充填された水硬性材料が隙間部Ｂを通じて漏れ出すのを防止することができる。
【００３８】
具体的には、隙間部Ｂが内管Ａ２の径方向内方に向かって開口するように形成されているため、隙間部Ｂに沿って配置された封止手段１１を付勢手段１２が内管Ａ２の径方向内方から外方に向かって付勢することで、隙間部Ｂを効果的に封止することができる。
【００３９】
また、前記漏出防止具１は、封止手段１１が弾性部材を用いて構成されていることで、封止手段１１が付勢手段１２によって付勢された際に、封止手段１１が隙間部Ｂの開口部に沿って弾性変形し、隙間部Ｂの開口部に封止手段１１を密着させることができる。このため、隙間部Ｂから水硬性材料が漏れ出すのをより効果的に防止することができる。
【００４０】
また、漏出防止具１は、付勢手段１２が剛性部材を用いて環状に形成され、その一部に切欠き部１２Ｒを備えることで、切欠き部１２Ｒの間隔が狭くなるように、即ち、切欠き部１２Ｒを形成する付勢手段１２の両端部が当接するように付勢手段１２に力を加えると、付勢手段１２には、その両端部が離間する方向に応力が生じる。言い換えれば、付勢手段１２には、その中心から外側に向かって広がるように応力が生じることになる。このため、内管Ａ２の端部に沿って配置される封止手段１１を内管Ａ２の径方向内方から外方に向かって付勢することができる。
【００４１】
また、漏出防止具１によれば、付勢手段１２が封止手段１１を取り付けるための溝部１２ａを外周に備えることで、封止手段１１を付勢手段１２に安定して取り付けることができ、付勢手段１２が封止手段１１を付勢した際に確実に付勢することができる。
【００４２】
また、漏出防止具１は、付勢手段１２に取り付けられた封止手段１１が環状となると共にその一部に前記付勢手段１２の切欠き部１２Ｒと略等しい間隔の切り欠き部１１Ｒを備えることで、切欠き部１２Ｒの間隔を狭くするように力を加えて付勢手段１２の両端部を当接させた際に、封止手段１１の両端部も当接することとなり、隙間部Ｂを隙間なく封止することができる。また、切欠き部１１Ｒと切欠き部１２Ｒとが付勢手段１２の中心から見て周方向の異なる位置に形成されることで、封止手段１１の両端部が当接した当接部分と、付勢手段１２の両端部が当接した当接部分とが付勢手段１２の中心から見て周方向の異なる位置に形成されるため、それぞれの当接部分から水硬性材料が漏れ出すのを防止することができる。
【００４３】
なお、本発明に係る漏出防止具１は、上記実施形態に限定されるものではなく、本発明の要旨を逸脱しない範囲で種々の変更が可能である。
【００４４】
例えば、上記実施形態では、内外管空間Ａ１２が外管Ａ１の両端側から一対の閉塞部材Ａ３で閉塞されているが、これに限定されるものではなく、内外管空間Ａ１２が外管Ａ１の一端側からのみ閉塞されてもよい。この場合、内外管空間Ａ１２の閉塞された側（一端側）を底面にして外管Ａ１及び内管Ａ２を起立させ、内外管空間Ａ１２の開放した状態の他端側から水硬性材料を供給することで、積層管Ａを製造してもよい。
【００４５】
また、上記実施形態では、付勢手段１２の外周径が内管Ａ２の内周径よりも大きく形成されることで、付勢手段１２の両端部を当接させた際に付勢手段１２の両端部が離間する方向に応力が生じ、これにより、隙間部Ｂを封止する封止手段１１が付勢されるように構成されているが、これに限定されるものではなく、図４に示すように、付勢手段１２の両端部の間隔が可変可能に構成されてもよい。具体的には、ナット部材１３ａが螺合したボルト部材１３ｂによって付勢手段１２の両端部が連結されるようにしてもよい。これにより、封止手段１１を付勢する際には、ナット部材１３ａを回転させて移動させ、付勢手段１２の両端部を離間する方向に変位させることで、より強い力で封止手段１１を内管Ａ２の外周方向へ付勢することができる。
【００４６】
また、上記実施形態においては、隙間部Ｂに封止手段１１の一部が入り込むように構成されているが、これに限定されるものではなく、さらに封止手段１１の一部が隙間部Ｂの開口部を覆うようにしてもよい。具体的には、図５に示すように、封止手段１１が、隙間部Ｂを封止した状態で、隙間部Ｂに入り込む入込部１１ａと隙間部Ｂの開口を覆うように突出した突出部１１ｂとを備えてもよい。
その先端が隙間部Ｂに入り込んだ状態で隙間部Ｂの開口部をさらに覆うように形成されてもよい。
【図面の簡単な説明】
【００４７】
【図１】（ａ）は、本実施形態にかかる積層管Ａに漏出防止具１が取り付けられた状態の全体を示した斜視図、（ｂ）は、（ａ）の積層管Ａの一端部を拡大した斜視図。
【図２】図１（ｂ）のＡ−Ａ断面を示した図。
【図３】（ａ）は、本実施形態にかかる漏出防止具１の正面図、（ｂ）は、（ａ）のＢ−Ｂ断面を示した図。
【図４】他の実施形態にかかる漏出防止具１が積層管Ａに取り付けられた状態を示した図。
【図５】更に他の実施形態にかかる漏出防止具１が積層管Ａに取り付けられた状態を示した図。
【符号の説明】
【００４８】
１…漏出防止具、１１…封止手段、１２…付勢手段、１２ａ…溝部、１３ａ…ナット部材、１３ｂ…ボルト部材、Ａ…積層管、Ａ１…外管、Ａ２…内管、Ａ１２…内外管空間、Ａ３…閉塞部材、Ａ４…水硬性硬化体層、Ｂ…隙間部
【図１】
2010115868.tif 000003
【図２】
2010115868.tif 000004
【図３】
2010115868.tif 000005
【図４】
2010115868.tif 000006
【図５】
2010115868.tif 000007